(57)【要約】【課題】  連写が実施され多数保存される大量の画像からユーザの意図したものを的確に保存し、不必要な画像を煩雑な操作なく消去する。【解決手段】連写された画像のうち、撮影モードに対応する条件に合う領域の検出された画像は第１の記録媒体に記録し、当該領域の検出されなかった画像は第２の記録媒体に記録する。第２の記録媒体に記録された画像は、電源オフ時に自動的に消去するか、表示の指示がされなかった場合、あるいは所定回数以上表示されなかった場合に消去する。所定回数以上表示された第２の記録媒体の画像は、低解像度画像に変換して保存を継続してもよい。【選択図】  図１
2010213219.tif 000002
【特許請求の範囲】
【請求項１】
連写撮影の可能な撮像部と、
撮影モードの選択を受け付ける撮影モード選択部と、
前記撮像部の連写撮影にて得られた画像である連写画像から、前記撮影モード選択部が選択を受け付けた撮影モードに対応する条件に適合する領域を検出する領域検出部と、
前記連写画像のうち、前記領域検出部が前記領域を検出した画像を第１の記録媒体に記録するとともに、前記連写画像のうち、前記領域検出部が前記領域を検出しなかった画像を第２の記録媒体に記録する記録制御部と、
電源供給停止時に前記第２の記録媒体に記録された画像を消去する消去制御部と、
を備える撮像装置。
【請求項２】
連写撮影の可能な撮像部と、
撮影モードの選択を受け付ける撮影モード選択部と、
前記撮像部の連写撮影にて得られた画像である連写画像の単位を示す情報である連写画像単位情報を前記連写画像に付与する連写画像単位情報付与部と、
前記連写画像から、前記撮影モード選択部が選択を受け付けた撮影モードに対応する条件に適合する領域を検出する領域検出部と、
前記連写画像のうち、前記領域検出部が前記領域を検出した画像を第１の記録媒体に記録するとともに、前記連写画像のうち、前記領域検出部が前記領域を検出しなかった画像を第２の記録媒体に記録する記録制御部と、
前記第１の記録媒体に記録された画像を、同一の連写画像単位情報の付与された画像ごとに順次または同時に所定の表示装置に表示するよう制御する表示制御部と、
前記所定の表示装置に表示された前記第１の記録媒体の画像と同一の連写画像単位情報の付与された前記第２の記録媒体の画像を表示するか否かの選択を受け付ける表示選択部と、
前記第２の記録媒体の画像を消去する消去制御部と、
を備え、
前記表示制御部は、前記表示選択部が前記第２の記録媒体の画像を表示する選択を受け付けたことに応じて前記第２の記録媒体の画像を所定の表示装置に表示するよう制御し、
前記消去制御部は、前記第２の記録媒体の画像のうち前記所定の表示装置に表示されなかった画像を消去する撮像装置。
【請求項３】
連写撮影の可能な撮像部と、
撮影モードの選択を受け付ける撮影モード選択部と、
前記撮像部の連写撮影にて得られた画像である連写画像の単位を示す情報である連写画像単位情報を前記連写画像に付与する連写画像単位情報付与部と、
前記連写画像から、前記撮影モード選択部が選択を受け付けた撮影モードに対応する条件に適合する領域を検出する領域検出部と、
前記連写画像のうち、前記領域検出部が前記領域を検出した画像を第１の記録媒体に記録するとともに、前記連写画像のうち、前記領域検出部が前記領域を検出しなかった画像を第２の記録媒体に記録する記録制御部と、
前記第１の記録媒体に記録された画像を、同一の連写画像単位情報の付与された画像ごとに順次または同時に所定の表示装置に表示するよう制御する表示制御部と、
前記所定の表示装置に表示された前記第１の記録媒体の画像と同一の連写画像単位情報の付与された前記第２の記録媒体の画像を表示するか否かの選択を受け付ける表示選択部と、
を備え、
前記表示制御部は、前記表示選択部が前記第２の記録媒体の画像を表示する選択を受け付けたことに応じて前記第２の記録媒体の画像を所定の表示装置に表示するよう制御し、
前記記録制御部は、前記第２の記録媒体の画像のうち前記所定の表示装置に表示された画像の間引き画像を作成して前記第１の記録媒体に記録する撮像装置。
【請求項４】
連写撮影の可能な撮像部と、
撮影モードの選択を受け付ける撮影モード選択部と、
前記撮像部の連写撮影にて得られた画像である連写画像の単位を示す情報である連写画像単位情報を前記連写画像に付与する連写画像単位情報付与部と、
前記連写画像から、前記撮影モード選択部が選択を受け付けた撮影モードに対応する条件に適合する領域を検出する領域検出部と、
前記連写画像のうち、前記領域検出部が前記領域を検出した画像を第１の記録媒体に記録するとともに、前記連写画像のうち、前記領域検出部が前記領域を検出しなかった画像を第２の記録媒体に記録する記録制御部と、
前記第１の記録媒体に記録された画像を同一の連写画像単位情報の付与された画像ごとに順次または同時に所定の表示装置に表示するよう制御する表示制御部と、
前記所定の表示装置に表示された前記第１の記録媒体の画像と同一の連写画像単位情報の付与された前記第２の記録媒体の画像を表示するか否かの選択を受け付ける表示選択部と、
前記表示選択部が表示の選択を受け付けた回数を画像ごとに計算する選択回数計算部と、
前記選択回数計算部が計算した回数が所定の閾値を超えた画像である再記録候補画像を、前記同一の連写画像単位情報の付与された前記第１の記録媒体の画像と関連づけて記録するか否かの選択を受け付ける再記録選択部と、
を備え、
前記記録制御部は、前記再記録選択部が前記再記録候補画像を記録する旨の選択を受け付けたことに応じ、前記再記録候補画像を、前記再記録候補画像と同一の連写画像単位情報の付与された前記第１の記録媒体の画像と関連づけて記録する撮像装置。
【請求項５】
連写撮影の可能な撮像部と、
撮影モードの選択を受け付ける撮影モード選択部と、
前記撮像部の連写撮影にて得られた画像である連写画像の単位を示す情報である連写画像単位情報を前記連写画像に付与する連写画像単位情報付与部と、
前記連写画像から、前記撮影モード選択部が選択を受け付けた撮影モードに対応する条件に適合する領域を検出する領域検出部と、
前記連写画像のうち、前記領域検出部が前記領域を検出した画像を第１の記録媒体に記録するとともに、前記連写画像のうち、前記領域検出部が前記領域を検出しなかった画像を第２の記録媒体に記録する記録制御部と、
前記第１の記録媒体に記録された画像を同一の連写画像単位情報の付与された画像ごとに順次または同時に所定の表示装置に表示するよう制御する表示制御部と、
前記所定の表示装置に表示された画像と同一の連写画像単位情報の付与された前記第２の記録媒体の画像を表示するか否かの選択を受け付ける表示選択部と、
前記表示選択部が表示の選択を受け付けた回数を画像ごとに計算する選択回数計算部と、
前記選択回数計算部が計算した回数が所定の閾値に達しない画像を前記第２の記録媒体から消去する消去制御部と、
を備える撮像装置。
【請求項６】
前記撮影モード選択部が人物撮影モードの選択を受け付けた場合、前記領域検出部は人物顔領域を検出する請求項１〜５のいずれかに記載の撮像装置。
【請求項７】
中央処理装置が、
連写撮影にて得られた画像である連写画像から、連写撮影時に設定された撮影モードに対応する条件に適合する領域を検出するステップと、
前記連写画像のうち、前記領域を検出した画像を第１の記録媒体に記録するとともに、前記連写画像のうち、前記領域を検出しなかった画像を第２の記録媒体に記録するステップと、
撮像装置の電源供給停止時に前記第２の記録媒体に記録された画像を消去するステップと、
を実行する画像管理方法。
【請求項８】
中央処理装置が、
連写撮影にて得られた画像である連写画像の単位を示す情報である連写画像単位情報を前記連写画像に付与するステップと、
前記連写画像から、連写撮影時に設定された撮影モードに対応する条件に適合する領域を検出するステップと、
前記連写画像のうち、前記領域を検出した画像を第１の記録媒体に記録するとともに、前記連写画像のうち、前記領域を検出しなかった画像を第２の記録媒体に記録するステップと、
前記第１の記録媒体に記録された画像を、同一の連写画像単位情報の付与された画像ごとに順次または同時に所定の表示装置に表示するよう制御するステップと、
前記所定の表示装置に表示された前記第１の記録媒体の画像と同一の連写画像単位情報の付与された前記第２の記録媒体の画像を表示するか否かの選択を受け付けるステップと、
前記第２の記録媒体の画像を表示する選択を受け付けたことに応じて前記第２の記録媒体の画像を所定の表示装置に表示するよう制御するステップと、
前記第２の記録媒体の画像のうち前記所定の表示装置に表示されなかった画像を消去するステップと、
を実行する画像管理方法。
【請求項９】
中央処理装置が、
連写撮影にて得られた画像である連写画像の単位を示す情報である連写画像単位情報を前記連写画像に付与するステップと、
前記連写画像から、連写撮影時に設定された撮影モードに対応する条件に適合する領域を検出するステップと、
前記連写画像のうち、前記領域を検出した画像を第１の記録媒体に記録するとともに、前記連写画像のうち、前記領域を検出しなかった画像を第２の記録媒体に記録するステップと、
前記第１の記録媒体に記録された画像を、同一の連写画像単位情報の付与された画像ごとに順次または同時に所定の表示装置に表示するよう制御するステップと、
前記所定の表示装置に表示された前記第１の記録媒体の画像と同一の連写画像単位情報の付与された前記第２の記録媒体の画像を表示するか否かの選択を受け付けるステップと、
前記第２の記録媒体の画像を表示する選択を受け付けたことに応じて前記第２の記録媒体の画像を所定の表示装置に表示するよう制御するステップと、
前記第２の記録媒体の画像のうち前記所定の表示装置に表示された画像の間引き画像を作成して前記第１の記録媒体に記録するステップと
を実行する画像管理方法。
【請求項１０】
中央処理装置が、
連写撮影にて得られた画像である連写画像の単位を示す情報である連写画像単位情報を前記連写画像に付与するステップと、
前記連写画像から、連写撮影時に設定された撮影モードに対応する条件に適合する領域を検出するステップと、
前記連写画像のうち、前記領域を検出した画像を第１の記録媒体に記録するとともに、前記連写画像のうち、前記領域を検出しなかった画像を第２の記録媒体に記録するステップと、
前記第１の記録媒体に記録された画像を同一の連写画像単位情報の付与された画像ごとに順次または同時に所定の表示装置に表示するよう制御するステップと、
前記所定の表示装置に表示された前記第１の記録媒体の画像と同一の連写画像単位情報の付与された前記第２の記録媒体の画像を表示するか否かの選択を受け付けるステップと、
表示の選択を受け付けた回数を画像ごとに計算するステップと、
計算した回数が所定の閾値を超えた画像である再記録候補画像を、前記同一の連写画像単位情報の付与された前記第１の記録媒体の画像と関連づけて記録するか否かの選択を受け付けるステップと、
前記再記録候補画像を記録する旨の選択を受け付けたことに応じ、前記再記録候補画像を、前記再記録候補画像と同一の連写画像単位情報の付与された前記第１の記録媒体の画像と関連づけて記録するステップと、
を実行する画像管理方法。
【請求項１１】
中央処理装置が、
連写撮影にて得られた画像である連写画像の単位を示す情報である連写画像単位情報を前記連写画像に付与するステップと、
前記連写画像から、連写撮影時に設定された撮影モードに対応する条件に適合する領域を検出するステップと、
前記連写画像のうち、前記領域を検出した画像を第１の記録媒体に記録するとともに、前記連写画像のうち、前記領域を検出しなかった画像を第２の記録媒体に記録するステップと、
前記第１の記録媒体に記録された画像を同一の連写画像単位情報の付与された画像ごとに順次または同時に所定の表示装置に表示するよう制御するステップと、
前記所定の表示装置に表示された画像と同一の連写画像単位情報の付与された前記第２の記録媒体の画像を表示するか否かの選択を受け付けるステップと、
表示の選択を受け付けた回数を画像ごとに計算するステップと、
計算した回数が所定の閾値に達しない画像を前記第２の記録媒体から消去するステップと、
を実行する画像管理方法。
【請求項１２】
請求項７〜１１のいずれかに記載の画像管理方法を中央処理装置に実行させるプログラム。
【発明の詳細な説明】
【技術分野】
【０００１】
本発明は、撮像装置の得た画像の管理に関する。
【背景技術】
【０００２】
特許文献１では、撮影処理プロセッサで処理された画像をメモリカードに記録する場合、代表画像や単写画像を記録するための第１のメモリと、連写画像のうち代表画像を除く他の画像を記録するための第２のメモリカードを用意し、撮影時に自動的に分類記録されるようにする。
【０００３】
特許文献２では、記録媒体に記録されている複数の画像の中から操作キー及び確定ボタンの操作によって仮消去指定すべき画像が選択されると、仮消去指定・解除部の制御により、その選択画像が仮消去指定されたものであることを示す仮消去フラグ情報が記録媒体内に書き込まれる。この時、保存優先順位を手動又は自動で指定することができ、仮消去フラグ情報には、保存優先順位の情報も含まれる。撮影時に、その撮影画像の記録のための容量が不足する場合には、仮消去指定画像の内で保存優先順位の低い画像が実際に消去され、新しい撮影画像を記録媒体に記録するための空き容量が確保される。
【０００４】
特許文献３では、被写体を撮像し、得られた画像を分析評価し、評価された画像を所定の判断基準により評価する。そして、所定の判断基準に基づく評価により撮影ミスと判断された画像を蓄積手段から一括消去する。
【０００５】
特許文献４では、液晶ディスプレイにより表示された、１回のレリーズによって異なる撮影条件で撮影された複数の画像をユーザーが見ることで、最適な一枚を選択スイッチと決定スイッチとを用いて選択すれば、選択されなかった画像にかかる画像データは消去され、それによりユーザーが最も好みの画像を残すことができるにも関わらず、電子カメラの残り記憶容量の低下を抑制できる。
【特許文献１】特開２００１−３１３８９５号公報
【特許文献２】特開２００２−５７９７８号公報
【特許文献３】特開２００３−２０４５０４号公報
【特許文献４】特開２００２−２８１３６７号公報
【発明の開示】
【発明が解決しようとする課題】
【０００６】
撮像素子やＡＳＩＣの処理速度向上と、ＤＲＡＭなどのバッファメモリの大容量化により、多数かつ高速の連写撮影が可能になっている。しかし、連写撮影した膨大な画像のうち不必要な画像も多くなっており、ユーザに対する画像の整理の負担は大きい。この点、特許文献１〜４では、ユーザ自身の操作によって個々の画像の要不要を入力する必要があり、ユーザの負担は軽減されない。
【０００７】
本発明は、連写が実施され多数保存される大量の画像からユーザの意図したものを的確に保存し、不必要な画像を煩雑な操作なく消去することを目的とする。
【課題を解決するための手段】
【０００８】
本発明に係る撮像装置は、連写撮影の可能な撮像部と、撮影モードの選択を受け付ける撮影モード選択部と、撮像部の連写撮影にて得られた画像である連写画像から、撮影モード選択部が選択を受け付けた撮影モードに対応する条件に適合する領域を検出する領域検出部と、連写画像のうち、領域検出部が領域を検出した画像を第１の記録媒体に記録するとともに、連写画像のうち、領域検出部が領域を検出しなかった画像を第２の記録媒体に記録する記録制御部と、電源供給停止時に第２の記録媒体に記録された画像を消去する消去制御部と、を備える。
【０００９】
特定の領域の検出されなかった画像を消すことで、連写で得られた画像の中からユーザが望む画像のみを的確に保存できる。
【００１０】
本発明に係る撮像装置は、連写撮影の可能な撮像部と、撮影モードの選択を受け付ける撮影モード選択部と、撮像部の連写撮影にて得られた画像である連写画像の単位を示す情報である連写画像単位情報を連写画像に付与する連写画像単位情報付与部と、連写画像から、撮影モード選択部が選択を受け付けた撮影モードに対応する条件に適合する領域を検出する領域検出部と、連写画像のうち、領域検出部が領域を検出した画像を第１の記録媒体に記録するとともに、連写画像のうち、領域検出部が領域を検出しなかった画像を第２の記録媒体に記録する記録制御部と、第１の記録媒体に記録された画像を、同一の連写画像単位情報の付与された画像ごとに順次または同時に所定の表示装置に表示するよう制御する表示制御部と、所定の表示装置に表示された第１の記録媒体の画像と同一の連写画像単位情報の付与された第２の記録媒体の画像を表示するか否かの選択を受け付ける表示選択部と、第２の記録媒体の画像を消去する消去制御部と、を備え、表示制御部は、表示選択部が第２の記録媒体の画像を表示する選択を受け付けたことに応じて第２の記録媒体の画像を所定の表示装置に表示するよう制御し、消去制御部は、第２の記録媒体の画像のうち所定の表示装置に表示されなかった画像を消去する。
【００１１】
不要と思われる画像のうち、確認がなかった画像を消すことでユーザが実際に不要と考える画像を自動的に消すことができる。また、特別な指示がない限り第１の記録媒体の画像のみが表示されるから、不要な画像の全てを表示させずに済む。
【００１２】
本発明に係る撮像装置は、連写撮影の可能な撮像部と、撮影モードの選択を受け付ける撮影モード選択部と、撮像部の連写撮影にて得られた画像である連写画像の単位を示す情報である連写画像単位情報を連写画像に付与する連写画像単位情報付与部と、連写画像から、撮影モード選択部が選択を受け付けた撮影モードに対応する条件に適合する領域を検出する領域検出部と、連写画像のうち、領域検出部が領域を検出した画像を第１の記録媒体に記録するとともに、連写画像のうち、領域検出部が領域を検出しなかった画像を第２の記録媒体に記録する記録制御部と、第１の記録媒体に記録された画像を、同一の連写画像単位情報の付与された画像ごとに順次または同時に所定の表示装置に表示するよう制御する表示制御部と、所定の表示装置に表示された第１の記録媒体の画像と同一の連写画像単位情報の付与された第２の記録媒体の画像を表示するか否かの選択を受け付ける表示選択部と、を備え、表示制御部は、表示選択部が第２の記録媒体の画像を表示する選択を受け付けたことに応じて第２の記録媒体の画像を所定の表示装置に表示するよう制御し、記録制御部は、第２の記録媒体の画像のうち所定の表示装置に表示された画像の間引き画像を作成して第１の記録媒体に記録する。
【００１３】
撮影者の意図に沿った第１の記録媒体の画像を先に確認させ、それでも撮影者の意図に沿わないと推測される第２の記録媒体の画像が確認されれば、その画像を低解像度で保存し、消去されてしまう画像の中から必要な画像を小さな記憶容量で残せる。
【００１４】
本発明に係る撮像装置は、連写撮影の可能な撮像部と、撮影モードの選択を受け付ける撮影モード選択部と、撮像部の連写撮影にて得られた画像である連写画像の単位を示す情報である連写画像単位情報を連写画像に付与する連写画像単位情報付与部と、連写画像から、撮影モード選択部が選択を受け付けた撮影モードに対応する条件に適合する領域を検出する領域検出部と、連写画像のうち、領域検出部が領域を検出した画像を第１の記録媒体に記録するとともに、連写画像のうち、領域検出部が領域を検出しなかった画像を第２の記録媒体に記録する記録制御部と、第１の記録媒体に記録された画像を同一の連写画像単位情報の付与された画像ごとに順次または同時に所定の表示装置に表示するよう制御する表示制御部と、所定の表示装置に表示された第１の記録媒体の画像と同一の連写画像単位情報の付与された第２の記録媒体の画像を表示するか否かの選択を受け付ける表示選択部と、表示選択部が表示の選択を受け付けた回数を画像ごとに計算する選択回数計算部と、選択回数計算部が計算した回数が所定の閾値を超えた画像である再記録候補画像を、同一の連写画像単位情報の付与された第１の記録媒体の画像と関連づけて記録するか否かの選択を受け付ける再記録選択部と、を備え、記録制御部は、再記録選択部が再記録候補画像を記録する旨の選択を受け付けたことに応じ、再記録候補画像を、再記録候補画像と同一の連写画像単位情報の付与された第１の記録媒体の画像と関連づけて記録する。
【００１５】
第２の記録媒体内の画像を確認した回数が一定程度以上であれば、ユーザにとって必要な画像である可能性が高いが、そのような画像に限って保存するか否かを確認するから、ユーザは不要と推測される画像から必要な画像を残す作業を特別意識せず簡単に行うことができる。
【００１６】
本発明に係る撮像装置は、連写撮影の可能な撮像部と、撮影モードの選択を受け付ける撮影モード選択部と、撮像部の連写撮影にて得られた画像である連写画像の単位を示す情報である連写画像単位情報を連写画像に付与する連写画像単位情報付与部と、連写画像から、撮影モード選択部が選択を受け付けた撮影モードに対応する条件に適合する領域を検出する領域検出部と、連写画像のうち、領域検出部が領域を検出した画像を第１の記録媒体に記録するとともに、連写画像のうち、領域検出部が領域を検出しなかった画像を第２の記録媒体に記録する記録制御部と、第１の記録媒体に記録された画像を同一の連写画像単位情報の付与された画像ごとに順次または同時に所定の表示装置に表示するよう制御する表示制御部と、所定の表示装置に表示された画像と同一の連写画像単位情報の付与された第２の記録媒体の画像を表示するか否かの選択を受け付ける表示選択部と、表示選択部が表示の選択を受け付けた回数を画像ごとに計算する選択回数計算部と、選択回数計算部が計算した回数が所定の閾値に達しない画像を第２の記録媒体から消去する消去制御部と、を備える。
【００１７】
第２の記録媒体の画像のうち、自動消去するべき本当に不要な画像と、消去するには惜しい画像とを、再生回数によって分類し、ユーザにとって規定回数以上再生確認した必要な画像を残し、そうでない画像は低解像度画像も残さず完全に消去するから、ユーザが何度も確認しなかった真に不要な画像だけを消すことができる。
【００１８】
撮影モード選択部が人物撮影モードの選択を受け付けた場合、領域検出部は人物顔領域を検出する。
【００１９】
本発明に係る画像管理方法は、中央処理装置が、連写撮影にて得られた画像である連写画像から、連写撮影時に設定された撮影モードに対応する条件に適合する領域を検出するステップと、連写画像のうち、領域を検出した画像を第１の記録媒体に記録するとともに、連写画像のうち、領域を検出しなかった画像を第２の記録媒体に記録するステップと、撮像装置の電源供給停止時に第２の記録媒体に記録された画像を消去するステップと、を実行する。
【００２０】
本発明に係る画像管理方法は、中央処理装置が、連写撮影にて得られた画像である連写画像の単位を示す情報である連写画像単位情報を連写画像に付与するステップと、連写画像から、連写撮影時に設定された撮影モードに対応する条件に適合する領域を検出するステップと、連写画像のうち、領域を検出した画像を第１の記録媒体に記録するとともに、連写画像のうち、領域を検出しなかった画像を第２の記録媒体に記録するステップと、第１の記録媒体に記録された画像を、同一の連写画像単位情報の付与された画像ごとに順次または同時に所定の表示装置に表示するよう制御するステップと、所定の表示装置に表示された第１の記録媒体の画像と同一の連写画像単位情報の付与された第２の記録媒体の画像を表示するか否かの選択を受け付けるステップと、第２の記録媒体の画像を表示する選択を受け付けたことに応じて第２の記録媒体の画像を所定の表示装置に表示するよう制御するステップと、第２の記録媒体の画像のうち所定の表示装置に表示されなかった画像を消去するステップと、を実行する。
【００２１】
本発明に係る画像管理方法は、中央処理装置が、連写撮影にて得られた画像である連写画像の単位を示す情報である連写画像単位情報を連写画像に付与するステップと、連写画像から、連写撮影時に設定された撮影モードに対応する条件に適合する領域を検出するステップと、連写画像のうち、領域を検出した画像を第１の記録媒体に記録するとともに、連写画像のうち、領域を検出しなかった画像を第２の記録媒体に記録するステップと、第１の記録媒体に記録された画像を、同一の連写画像単位情報の付与された画像ごとに順次または同時に所定の表示装置に表示するよう制御するステップと、所定の表示装置に表示された第１の記録媒体の画像と同一の連写画像単位情報の付与された第２の記録媒体の画像を表示するか否かの選択を受け付けるステップと、第２の記録媒体の画像を表示する選択を受け付けたことに応じて第２の記録媒体の画像を所定の表示装置に表示するよう制御するステップと、第２の記録媒体の画像のうち所定の表示装置に表示された画像の間引き画像を作成して第１の記録媒体に記録するステップとを実行する。
【００２２】
本発明に係る画像管理方法は、中央処理装置が、連写撮影にて得られた画像である連写画像の単位を示す情報である連写画像単位情報を連写画像に付与するステップと、連写画像から、連写撮影時に設定された撮影モードに対応する条件に適合する領域を検出するステップと、連写画像のうち、領域を検出した画像を第１の記録媒体に記録するとともに、連写画像のうち、領域を検出しなかった画像を第２の記録媒体に記録するステップと、第１の記録媒体に記録された画像を同一の連写画像単位情報の付与された画像ごとに順次または同時に所定の表示装置に表示するよう制御するステップと、所定の表示装置に表示された第１の記録媒体の画像と同一の連写画像単位情報の付与された第２の記録媒体の画像を表示するか否かの選択を受け付けるステップと、表示の選択を受け付けた回数を画像ごとに計算するステップと、計算した回数が所定の閾値を超えた画像である再記録候補画像を、同一の連写画像単位情報の付与された第１の記録媒体の画像と関連づけて記録するか否かの選択を受け付けるステップと、再記録候補画像を記録する旨の選択を受け付けたことに応じ、再記録候補画像を、再記録候補画像と同一の連写画像単位情報の付与された第１の記録媒体の画像と関連づけて記録するステップと、を実行する。
【００２３】
本発明に係る画像管理方法は、中央処理装置が、連写撮影にて得られた画像である連写画像の単位を示す情報である連写画像単位情報を連写画像に付与するステップと、連写画像から、連写撮影時に設定された撮影モードに対応する条件に適合する領域を検出するステップと、連写画像のうち、領域を検出した画像を第１の記録媒体に記録するとともに、連写画像のうち、領域を検出しなかった画像を第２の記録媒体に記録するステップと、第１の記録媒体に記録された画像を同一の連写画像単位情報の付与された画像ごとに順次または同時に所定の表示装置に表示するよう制御するステップと、所定の表示装置に表示された画像と同一の連写画像単位情報の付与された第２の記録媒体の画像を表示するか否かの選択を受け付けるステップと、表示の選択を受け付けた回数を画像ごとに計算するステップと、計算した回数が所定の閾値に達しない画像を第２の記録媒体から消去するステップと、を実行する。
【００２４】
これらの画像管理方法を中央処理装置に実行させるプログラムも本発明に含まれる。
【発明の効果】
【００２５】
この発明によると、連写で得られた画像の中からユーザが望む画像のみを的確に保存できる。
【発明を実施するための最良の形態】
【００２６】
＜第１実施形態＞
図１はデジタルカメラ１のブロック図を示す。撮像部は、フォーカスレンズ、ズームレンズを含むレンズ系１１、絞り、ＣＣＤ１２、撮像プロセス部１３、レンズ系１１のフォーカスレンズ、ズームレンズを駆動する手段であるＡＥ・ＡＦ機構１６を含んでいる。レンズ系１１は１枚又は複数枚のレンズで構成され、例えば単一の焦点距離（固定焦点）のレンズで構成される。
【００２７】
レンズ系１１を介してＣＣＤ１２の受光面に結像された被写体像は、各センサで入射光量に応じた量の信号電荷に変換される。このようにして蓄積された信号電荷は、タイミング生成器１５から加えられるＣＣＤ駆動パルスによって読み出され、信号電荷に応じた電圧信号（アナログ画像信号）として順次ＣＣＤ１２から撮像プロセス部１３に出力される。
【００２８】
ＣＣＤ１２には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１２は、シャッターゲートパルスによって各センサに蓄積される電荷の蓄積時間（シャッタースピード）を制御する、いわゆる電子シャッター機能を有している。
【００２９】
ＣＣＤ１２から読み出された信号は、撮像プロセス部１３において相関二重サンプリング（ＣＤＳ）処理されるとともに、Ｒ，Ｇ，Ｂの各色信号に色分離処理され、各色信号の信号レベルの調整が行われる。
【００３０】
これら所定のアナログ信号処理を経た画像信号は、Ａ/Ｄ変換器１４に加えられ、このＡ/Ｄ変換器１４によりＲ，Ｇ，Ｂのデジタル信号に変換された後、ＲＡＭ１９に一時的に格納される。
【００３１】
タイミング生成器（ＴＧ）１５は、メインプロセッサ（ＣＰＵ、中央処理装置）２０からのコマンドに応じてＣＣＤ１２、撮像プロセス部１３及びＡ/Ｄ変換器１４に対して適宜のタイミング信号を与えており、各回路はＴＧ１５から加えられるタイミング信号により同期して駆動されるようになっている。
【００３２】
制御部２０ｄは、デジタルカメラ１の各回路を統括制御するメインプロセッサ２０の処理単位（モジュール）の一部であり、データバス１０を介してタイミング生成器１５、ＡＥ・ＡＦ機構１６、撮像プロセス部１３、メモリコントローラ１８、記録／再生インターフェース２７、顔検出部１７ｂと接続されている。
【００３３】
また、制御部２０ｄには、レリーズボタン２２、操作キー２３、コントロールパネル２５が接続されている。
【００３４】
表示用液晶パネル３０には、デジタルカメラ１の各種設定や、使用モード、状態等が表示される。
【００３５】
ＲＯＭ３１には、後述する制御ルーチンのプログラムや、プログラムに必要なパラメータその他のデータが記憶されている。
【００３６】
メインプロセッサ２０は操作キー２３（あるいはタッチパネルのような操作手段）からの入力信号に基づいて対応する回路ブロックを制御するとともに、レンズ系１１のズーミング動作や自動焦点調節（ＡＦ）動作の制御、並びに自動露出調節（ＡＥ）の制御等を行う。
【００３７】
操作キー２３には、電源スイッチ、カメラのモード選択手段、ズーム操作手段、その他の各種の入力手段が含まれる。これら入力手段は、スイッチボタン、ダイヤル、スライド式ツマミなど種々の形態があり、タッチパネルや表示用液晶パネル３０表示部の画面上において設定メニューや選択項目を表示してカーソルで所望の項目を選択する態様もある。この操作キー２３はデジタルカメラ１に配設されているが、リモコン送信機としてデジタルカメラ１本体と分離した構成にすることも可能である。
【００３８】
メインプロセッサ２０の制御部２０ｄは、ＣＣＤ１２やＣＭＯＳその他の撮像素子から出力される画像信号に基づいて、焦点評価演算やＡＥ演算などの各種演算を行い、その演算に基づいて、ＡＥ・ＡＦ機構１６の駆動手段（例えば、ＡＦモータやアイリスモータ等）を制御してフォーカスレンズを合焦位置に移動させるとともに、絞りを適正絞り値に設定する。
【００３９】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、ＡＥ・ＡＦ機構１６を介して絞りを駆動するとともに、決定したシャッタースピードとなるように電子シャッターによってＣＣＤ１２の電荷の蓄積時間を制御する。したがって、デジタルカメラ１のレンズ系１１を被写体に向けるだけで、最適な露出調整が行われるとともに、ピント合わせが自動的に行われる。
【００４０】
撮影記録時においては、レリーズボタン２２の「半押し」時に上述した測光動作を複数回繰り返して正確な撮影ＥＶを求め、この撮影ＥＶに基づいて撮影時の絞り値とシャッタースピードを最終的に決定する。そして、レリーズボタン２２の「全押し」時に最終的に決定した絞り値になるように絞りを駆動し、また、決定したシャッタースピードとなるように電子シャッターによって電荷の蓄積時間を制御する。なお、ＡＥ、ＡＦはＣＣＤ１２から取得される画像信号に基づいて制御する方法の他、周知の測光センサやＡＦ投光／受光センサからなる測距センサ等を用いてもよい。
【００４１】
Ａ/Ｄ変換器１４から出力されたデータはＲＡＭ１９に格納されるとともに、積算回路１６０に加えられる。画像処理部２０ａは、撮影画面を複数のブロック（例えば、８×８の６４個のブロック）に分割し、複数のブロック毎に受入したＧ信号の積算演算を行う。なお、Ｒ、Ｇ、Ｂのデータから輝度信号（Ｙ信号）を生成して、輝度信号の積算演算を行ってもよい。また、画像処理部２０ａはＡＥ演算回路で兼用することもできる。画像処理部２０ａで得られた積算値の情報（演算結果）はメインプロセッサ２０に入力される。
【００４２】
メインプロセッサ２０の制御部２０ｄは画像処理部２０ａからの情報に基づき、所定のアルゴリズムに従って撮影画面の評価値Ｅを算出し、求めた評価値Ｅを用いて撮像プロセス部１３におけるゲイン値（増幅率）を決定する。メインプロセッサ２０は決定したゲイン値に従って撮像プロセス部１３におけるゲイン量を制御する。
【００４３】
ＲＡＭ１９に記憶されたＲ、Ｇ、Ｂの画像データは画像処理部２０ａに送られ、ここで増幅処理される。増幅処理された画像データは、画像処理部２０ａにおいて、ガンマ補正処理が施された後、ＲＧＢデータから輝度信号（Ｙ信号）及び色差信号（Ｃr,Ｃb信号）に変換される。なお、メインプロセッサ２０は、必要に応じてホワイトバランス処理なども行うことができる。
【００４４】
画像処理部２０ａにおいて生成された輝度・色差信号（ＹＣ信号と略記する）は、ＲＡＭ１９に書き戻される。ＲＡＭ１９に記憶されたＹＣ信号は表示制御部２０ｃに供給され、所定方式の信号（例えば、ＮＴＳＣ方式のカラー複合映像信号）に変換されて表示用液晶パネル３０に出力される。表示用液晶パネル３０には液晶ディスプレイその他のカラー表示可能な表示装置が用いられる。なお、表示用液晶パネル３０はＹＣ信号入力対応のタイプのものを適用してもよいし、ＲＧＢ信号入力タイプのものを適用してもよく、表示装置に対応したドライバが適用される。
【００４５】
ＣＣＤ１２から出力される画像信号によって画像データが定期的に書き換えられ、その画像データから生成される映像信号が表示用液晶パネル３０に供給されることにより、ＣＣＤ１２が捉える画像がリアルタイムに動画像（スルー画像）として、又はリアルタイムではないが、ほぼ連続した画像として表示用液晶パネル３０に表示される。
【００４６】
表示用液晶パネル３０は電子ビューファインダーとして利用でき、撮影者は表示用液晶パネル３０の表示画像又はファインダーによって撮影画角を確認することができる。レリーズボタン２２の押下操作など所定の記録指示（撮影開始指示）操作に呼応して、記録用の画像データの取り込みが開始される。
【００４７】
撮影者がレリーズボタン２２から撮影記録の指示を入力すると、メインプロセッサ２０は必要に応じて圧縮伸張処理部２０ｂにコマンドを送り、これにより圧縮伸張処理部２０ｂはＲＡＭ１９上のＹＣデータをＪＰＥＧその他の所定の形式に従って圧縮する。圧縮された画像データは、記録／再生インターフェース２７と接続された記録媒体スロット２８に差し込まれた第１の記録媒体２９に記録される。
【００４８】
第１の記録媒体２９および第２の記録媒体３２は、それぞれ物理的または論理的に別個の媒体であるが、その構成は任意であり、共に情報の書き換えが可能な不揮発性記録媒体である点で相違はない。例えばスマートメディア、ＰＣカード、マイクロドライブ、マルチメディアカード（ＭＭＣ）、磁気ディスク（フレキシブルディスク、ＨＤＤ）、光ディスク（ＣＤ−ＲＷ、ＤＶＤ−ＲＷ）、光磁気ディスク（ＭＯ）、磁気テープ（ＤＡＴ）、メモリスティックなど種々の形態が可能であり、使用される媒体に応じた信号処理手段とインターフェースが適用される。ただし、重要な画像はパソコンやプリンタに取り込む可能性が高いため、第１の記録媒体２９は可搬性記録媒体であることが好ましい。また、以下の処理では、ユーザの意図に沿わない画像を格納する第２の記録媒体３２はフラッシュメモリのような内蔵記録媒体であるとするが、可搬性記録媒体であってもよい。さらに、パーティション、フォルダ、ディレクトリなど同一の不揮発性記録媒体に論理的な区分を設け、その各々を第１の記録媒体２９および第２の記録媒体３２としてもよい。
【００４９】
また、再生モード時には第１の記録媒体２９から読み出された画像データが圧縮伸張処理部２０ｂによって伸張処理され、表示制御部２０ｃを介して表示用液晶パネル３０に出力される。
【００５０】
メインプロセッサ２０は、データバス１０を介して通信部５９と接続されている。通信部５９は、通信網を通してユーザーのパーソナルコンピュータ（ＰＣ）やプリンタなどと通信するためのインターフェースであり、例えばＵＳＢ（Universal Serial Bus）や、ＩＥＥＥ１３９４等のインターフェースを用いることができる。
【００５１】
図２は、メインプロセッサ２０の実行する画像処理のフローチャートである。この処理をメインプロセッサ２０に実行させるためのプログラムはＲＯＭ３１に記憶されている。
【００５２】
Ｓ１では、制御部２０ｄは操作キー２３から顔検出モードが設定されたか否かを判断する。顔検出モードが設定されたらＳ２に進む。
【００５３】
Ｓ２では、制御部２０ｄは操作キー２３から連写撮影モードおよび通常撮影モードのいずれが設定されたか否かを判断する。連写撮影モードが設定された場合はＳ３に進み、通常撮影モードが設定されない場合はＳ１３に進む。
【００５４】
Ｓ３では、制御部２０ｄはレリーズボタン２２が半押し（Ｓ１オン）されたか否かを判断する。レリーズボタン２２が半押しされたらＳ３４に進む。
【００５５】
Ｓ４では、制御部２０ｄは自動焦点調節（ＡＦ）動作の制御、並びに自動露出調節（ＡＥ）の制御を行う。
【００５６】
Ｓ５では、制御部２０ｄはレリーズボタン２２が全押し（Ｓ２オン）されたか否かを判断する。レリーズボタン２２が全押しされたらＳ６に進む。
【００５７】
Ｓ６では、制御部２０ｄは連写（連続した複数回の撮影を行なって複数枚の画像を生成する動作のこと）を行うようＣＣＤ１２、撮像プロセス部１３、Ａ／Ｄ変換器１４その他の撮像系を制御し、連写で得られた画像をメモリ１９に保存する。
【００５８】
Ｓ７では、制御部２０ｄは、ＲＯＭ３１から、Ｓ１で設定された撮影モードすなわち顔検出モードに対応する条件を識別する。ＲＯＭ３１に格納されている条件は「画像中に少なくとも１つの顔領域が存在すること」であるとする。制御部２０ｄが当該条件を識別したことに応じ、顔検出部１７ｂは、連写画像の各々について顔検出を行い、顔検出の有無を示す顔検出フラグをメモリ１９の個々の画像に付与する。例えば、顔が検出されれば「１」、顔が検出されなければ「０」の値を個々の画像に付与する。制御部２０ｄは、顔検出フラグの内容に応じて、画像を分類する。すなわち、制御部２０ｄは、個々の画像に付与された顔検出フラグを参照し、顔検出フラグが顔検出有りを示すものであればＳ８、顔検出フラグが顔検出無しを示すものであればＳ９に進む。
【００５９】
ここで説明した撮影モードとそれに対応する条件は一例にすぎず、その他の例としては、風景モードに対応する条件は空や地面の存在、スポーツモードに対応する条件は動きベクトルの存在などが挙げられる。
【００６０】
Ｓ８では、制御部２０ｄは、顔検出有りを示す顔検出フラグが付与された画像を、第１の記録媒体２９に保存する。
【００６１】
Ｓ９では、制御部２０ｄは、顔検出無しを示す顔検出フラグが付与された画像を、第２の記録媒体３２に保存する。なお、顔検出の有無に関わらず、ピンボケ、白飛び、黒つぶれ、手振れその他の失敗画像を第２の記録媒体３２に記録してもよい。
【００６２】
Ｓ１０では、制御部２０ｄは、操作キー２３の電源スイッチが押され電源オフが指示されたか否かを判断する。Ｙｅｓの場合はＳ１１、Ｎｏの場合はＳ１２に進む。
【００６３】
Ｓ１１では、自動消去実行部２０ｆは、第２の記録媒体３２に保存された画像を消去する。
【００６４】
Ｓ１２では、連写撮影を継続する。
【００６５】
Ｓ１３では、通常撮影すなわちレリーズボタン２２の押下に応じた単一の画像の取得を行う。
【００６６】
図３は制御部２０ｄにより分類される画像の一例を示す。このうち、図３（ａ）は連写（Ｓ６）で得られた画像、図３（ｂ）は第１の記録媒体２９に保存される顔の検出された画像、図３（ｃ）は第２の記録媒体３２に保存される顔の検出されない画像を示す。図３（ｂ）の画像は第１の記録媒体２９に保存されるため、電源スイッチがオフになっても消えないが、図３（ｃ）の画像は第２の記録媒体３２に保存されるため、電源スイッチがオフになると消える。
【００６７】
つまり、ユーザが顔検出モードを選択することで、顔の検出された画像が意図した被写体を撮影した画像とみなせるから、逆に顔の検出されなかった画像を消すことで、連写で得られた画像の中からユーザが望む画像のみを的確に保存できる。
【００６８】
＜第２実施形態＞
図４は第２実施形態に係るデジタルカメラ１のブロック図である。第１実施形態と同様の構成および機能を有するブロックには同一の符号を付しており、説明は省略する。本実施形態では、メインプロセッサ２０のモジュールとして表示選択部２０ｇが追加されている。
【００６９】
図５は、メインプロセッサ２０の実行する画像処理のフローチャートである。この処理をメインプロセッサ２０に実行させるためのプログラムはＲＯＭ３１に記憶されている。この処理は、第１実施形態のＳ７〜Ｓ９と同様にして顔検出フラグの付与された画像が分類された後に行われるものとする。
【００７０】
Ｓ２１は第１実施形態のＳ１２と同様である。
【００７１】
Ｓ２２では、表示選択部２０ｇは、操作キー２３から画像の再生またはポストビュー（撮影直後の画像表示）が指示されたか否かを判断する。Ｙｅｓの場合はＳ２３、Ｎｏの場合はＳ２１に進む。
【００７２】
Ｓ２３では、表示制御部２０ｃは、第１の記録媒体２９に保存された画像を読み出し、その映像信号を表示用液晶パネル３０に出力する。この際、表示制御部２０ｃは、同一の連写単位に属する画像を１つの表示単位として分類した上、１つの表示単位に属する画像を順次または同時に表示する。どの連写単位を表示するかを操作キー２３で指定できてもよい。
【００７３】
Ｓ２４では、表示制御部２０ｃは、表示中の連写単位と同一の連写単位に属する画像が第２の記録媒体３２に記録されていれば、そのような第２の記録媒体３２の画像を表示するか否かの確認を促す情報、例えば「撮影モードに沿わない可能性のある連写画像の続きがありますが、表示しますか？」というメッセージを表示用液晶パネル３０に表示する。あるいは、連写画像の続きを示すアイコンを表示用液晶パネル３０に表示する。あるいはスピーカや音声再生手段にて同様のメッセージを再生してもよい。表示選択部２０ｇは、操作キー２３の操作あるいは図示しないタッチパネルによるアイコンの選択により、当該第２の記録媒体３２の画像の再生またはポストビュー（撮影直後の画像表示）の開始が指示されたか否かを判断する。Ｙｅｓの場合はＳ２５、Ｎｏの場合はＳ２６に進む。
【００７４】
Ｓ２５では、表示制御部２０ｃは、第２の記録媒体３２に保存された画像の中で表示中の連写単位と同一の連写単位に属するものを読み出し、その画像の映像信号を表示用液晶パネル３０に出力する。
【００７５】
Ｓ２６では、Ｓ１０と同様の判断を行う。Ｙｅｓの場合はＳ２７、Ｎｏの場合はＳ３２に進む。
【００７６】
Ｓ２７では、Ｓ２４にてＹｅｓと判断されたか、すなわち、ユーザの指示に応じて第２の記録媒体３２に保存された画像の表示がされたかを判断する。Ｙｅｓの場合はＳ２８、Ｎｏの場合はＳ３０に進む。
【００７７】
Ｓ２８では、第２の記録媒体３２の画像のうち表示されたものを所定の率で間引き、間引き後の低解像度画像（例えばＶＧＡ程度）を第２の記録媒体３２に保存する。
【００７８】
Ｓ２９およびＳ３１では、各ブロックへの電源供給を停止する。Ｓ３２では撮影された画像の再生を継続する。なお、本実施形態でＳ２８の画像間引き処理は必須でない。これらの処理の詳細については後述する。
【００７９】
Ｓ３０では、自動消去実行部２０ｆは、第２の記録媒体３２に保存された画像のうち表示用液晶パネル３０に表示されていないものを消去する。
【００８０】
図６は本処理で表示される画像の一例を示す。図６では、画像Ｉ１−１〜Ｉ１−３、画像Ｉ２−１〜Ｉ２−５、画像Ｉ３−１〜Ｉ３−２が各々別個のシーンで連写された一連の画像群（連写単位）であり、通常モードで撮影された画像Ｉ１−１〜Ｉ１−３および画像Ｉ３−１〜Ｉ３−２と、顔検出モード設定時に撮影されかつ顔検出された画像Ｉ２−１〜Ｉ２−３は第１の記録媒体２９に保存され、顔検出モード設定時に撮影されたが顔検出されなかった画像Ｉ２−４、Ｉ２−５は第２の記録媒体３２に保存されているとする。各画像には、その画像の属する連写単位を示す情報がメタ情報やタグ情報やヘッダ情報といった付帯情報が対応づけられて記録されているものとする。
【００８１】
図６（ａ）に例示するように、Ｓ２２で“Ｙｅｓ”と判定されＳ２３に進むと、各シーンで連写された一連の画像のうち第１の記録媒体２９に保存されたものが、撮影順あるいはその他の所定の順序に従って表示される。つまり、画像Ｉ１−１〜Ｉ１−３の次には画像Ｉ２−１〜Ｉ２−３が、その次には画像Ｉ３−１〜Ｉ３−２が表示される。
【００８２】
第２の記録媒体２９に保存された画像Ｉ２−４やＩ２−５は、特別な指示がない限り表示がスキップされる。しかし、仮に、画像Ｉ２−３が表示されているときに、これらの画像の表示が指示され、Ｓ２４で“Ｙｅｓ”と判定されてＳ２５に進むと、画像Ｉ２−３の次には、画像Ｉ３−１ではなくＩ２−４が表示される。またＩ２−４の次にはＩ２−５が表示され、その後画像Ｉ３−１以下が表示される。
【００８３】
Ｉ２−４やＩ２−５が表示された場合は、Ｓ２７で“Ｙｅｓ”と判定され、Ｓ２８に進んで、顔検出されなかった画像Ｉ２−４・Ｉ２−５は低解像度画像に変換されて第２の記録媒体３２に保存される。すなわち、顔検出されなかった画像であっても、連写画像の続きとして表示が確認された画像はそのまま、あるいは低解像度画像として第２の記録媒体３２に残る。
【００８４】
逆に、Ｉ２−４やＩ２−５が表示されなかった場合は、Ｓ２７で“Ｎｏ”と判定され、Ｓ３０に進んで、顔検出されなかった画像Ｉ２−４・Ｉ２−５は第２の記録媒体３２から消去される。
【００８５】
すなわち、不要と思われる画像のうち、確認がなかった画像を消すことでユーザが実際に不要と考える画像を自動的に消すことができる。また、特別な指示がない限り第１の記録媒体２９の画像のみが表示されるから、不要な画像の全てを表示させずに済む。
【００８６】
＜第３実施形態＞
図７は、メインプロセッサ２０の実行する画像処理のフローチャートである。この処理をメインプロセッサ２０（第２実施形態と同様の構成を有するもの）に実行させるためのプログラムはＲＯＭ３１に記憶されている。この処理は、第１実施形態のＳ７〜Ｓ９と同様にして顔検出フラグの付与された画像が分類された後に行われるものとする。
【００８７】
Ｓ４１〜Ｓ５１は、第２実施形態のＳ２１〜Ｓ３１と同様である。なお、Ｓ４８において、画像を圧縮するのは圧縮伸張処理部２０ｂであってもよいしその他の画像処理手段であってもよい。
【００８８】
このように、撮影者の意図に沿ったＲＯＭ３１の画像を先に確認させ、それでも撮影者の意図に沿わないと推測される第２の記録媒体３２の画像が確認されれば、その画像を低解像度で保存し、消去されてしまう画像の中から必要な画像を小さな記憶容量で残せる。
【００８９】
＜第４実施形態＞
図８は第４実施形態に係るデジタルカメラ１のブロック図である。第１実施形態と同様の構成および機能を有するブロックには同一の符号を付しており、説明は省略する。本実施形態では、メインプロセッサ２０のモジュールとして再生回数検出部２０ｉ、連写単位情報付加部２０ｊ、記録先変更指示表示部２０ｋが追加されている。
【００９０】
図９は、メインプロセッサ２０の実行する画像処理のフローチャートである。この処理をメインプロセッサ２０に実行させるためのプログラムはＲＯＭ３１に記憶されている。
【００９１】
Ｓ６１では、第２実施形態のＳ２４・Ｓ２５または第３実施形態のＳ４４・Ｓ４５と同様にして、表示選択部２０ｇは、操作キー２３の十字キーや情報確定キーなどの操作によって、第２の記録媒体３２に保存された画像（顔検出されなかった画像の他、Ｓ２８やＳ４８で作成された低解像度画像も含む）の再生またはポストビュー（撮影直後の画像表示）が指示されたか否かを判断し、Ｙｅｓと判断されて表示制御部２０ｃは、第２の記録媒体３２に保存された画像を読み出し、その映像信号を表示用液晶パネル３０に出力する。
【００９２】
Ｓ６２では、再生回数検出部２０ｉは、Ｓ６１で再生確認した個々の画像の総再生回数（以下単に再生回数とする）を検出する。
【００９３】
Ｓ６３では、再生回数検出部２０ｉは、予めＲＯＭ３１に格納された閾値（例えば３回）を上記再生回数が上回ったか否かを各画像ごとに判断する。Ｙｅｓの場合はＳ６４、Ｎｏの場合はＳ６１に進む。
【００９４】
Ｓ６４では、記録先変更指示表示部２０ｋは、閾値を上回った再生回数の画像の保存先を変える必要があるか否かを問い合わせる情報、例えば、「表示された画像の表示回数は規定値を超えており、保存の必要な画像であると推測されます。保存先を変更しますか？」といったメッセージを表示用液晶パネル３０に表示する。あるいは音声にて同様のメッセージを再生してもよい。
【００９５】
Ｓ６５では、連写単位情報付加部２０ｊは、第２の記録媒体３２に保存された、上記閾値を上回った再生回数の画像のうち、所望の画像が選択されたか否かを判断する。Ｙｅｓの場合はＳ６６、Ｎｏの場合はＳ６８に進む。
【００９６】
Ｓ６６では、連写単位情報付加部２０ｊは、第２の記録媒体３２内で選択された画像の属する連写単位と同一の連写単位に属する第１の記録媒体２９の画像（群）である関連画像を、付帯情報に基づいて検出する。
【００９７】
Ｓ６７では、連写単位情報付加部２０ｊは、選択された画像と関連画像とを含んだ画像群に対する連写画像の再生単位情報（連写単位とその再生順を示したもの）を作成し、当該画像群の各々に付与する。操作キー２３から明示的に選択されたのみ画像を第２の記録媒体３２から第１の記録媒体２９に移動してもよいが、閾値を超えた再生回数の画像を自動的に移動してもよい。
【００９８】
例えば、図６（ｂ）の画像Ｉ２−４および画像Ｉ２−５が選択された場合、Ｉ２−１〜Ｉ２−５に連写画像の再生単位情報が付与される。この再生単位情報には、Ｉ２−１、Ｉ２−２、Ｉ２−３、Ｉ２−４、Ｉ２−５の順番の再生順序が含まれ、Ｉ２−３の次にはＩ２−４が再生される。
【００９９】
Ｓ６８はＳ１０と同様の判断を行う。ＹｅｓであれＳ６９、ＮｏであればＳ７１に進む。
【０１００】
Ｓ６９〜Ｓ７０は、Ｓ４８〜Ｓ４９と同様である。
【０１０１】
Ｓ７１は、Ｓ５２と同様である。
【０１０２】
以上の処理によると、第２の記録媒体３２内の画像を確認した回数が一定程度以上であれば、ユーザにとって必要な画像である可能性が高いが、そのような画像に限って保存するか否かを確認するから、ユーザは不要と推測される画像から必要な画像を残す作業を特別意識せず簡単に行うことができる。
【０１０３】
＜第５実施形態＞
図１０は第５実施形態に係るデジタルカメラ１のブロック図である。第１〜４実施形態と同様の構成および機能を有するブロックには同一の符号を付しており、説明は省略する。本実施形態では、メインプロセッサ２０のモジュールとして再生回数検出部２０ｉが追加されている。
【０１０４】
図１１は、メインプロセッサ２０の実行する画像処理のフローチャートである。この処理をメインプロセッサ２０に実行させるためのプログラムはＲＯＭ３１に記憶されている。
【０１０５】
Ｓ８１〜８２はＳ６１〜６２と同様である。なお、Ｓ８１で確認される画像とは、顔検出されなかった画像の他、Ｓ２８やＳ４８で作成された低解像度画像も含む。
【０１０６】
Ｓ８３はＳ６８と同様の判断を行う。ＹｅｓならばＳ８４、ＮｏならばＳ８７に進む。
【０１０７】
Ｓ８４では、再生回数検出部２０ｉは、上記再生回数が予めＲＯＭ３１に格納された閾値（例えば３回）以下か否かを各画像ごとに判断する。Ｙｅｓの場合はＳ８５、Ｎｏの場合はＳ８６に進む。
【０１０８】
Ｓ８５では、再生回数が閾値以下と判断された画像を第２の記録媒体３２から消去する。
【０１０９】
Ｓ８６では、再生回数が閾値を超えると判断された画像を所定の率で間引き、間引き後の低解像度画像を第２の記録媒体３２に保存する。画像の間引きは圧縮伸張処理部２０ｂが行ってもよいし、その他の手段が行ってもよい。
【０１１０】
Ｓ８７はＳ７１と同様である。
【０１１１】
この処理により、第２の記録媒体３２の画像のうち、自動消去するべき本当に不要な画像と、消去するには惜しい画像とを、再生回数によって分類し、ユーザにとって規定回数以上再生確認した必要な画像を残し、そうでない画像は低解像度画像も残さず完全に消去するから、ユーザが何度も確認しなかった真に不要な画像だけを消すことができる。
【０１１２】
＜その他の実施形態＞
上述の顔検出部１７ｂに代えて、あるいはこれと共に、顔以外の物体、例えば建物、自動車、動物などの検出を行う物体検出回路がデジタルカメラ１に備わっていてもよく、物体検出回路によって特定の物体が検出された画像を第１の記録媒体２９に記録し、特定の物体が検出されなかった画像を第２の記録媒体３２に保存してもよい。また、Ｓ１での顔検出モードに代えて、あるいはこれと共に、顔以外の物体を検出してもよい。Ｓ１で顔を検出するか顔以外の物体を検出するかの設定は、一般的な撮影モードの選択に応じて自動的に決まってもよい。例えば、スポーツモード選択に応じて顔検出モードが自動的に設定されてもよい。あるいは、風景モード選択に応じて木、山、雲、空などが検出されてもよい。  
【図面の簡単な説明】
【０１１３】
【図１】第１実施形態のカメラのブロック図
【図２】第１実施形態のカメラの実行する処理のフローチャート
【図３】第１実施形態の連写画像の一例を示す図
【図４】第２実施形態のカメラのブロック図
【図５】第２実施形態のカメラの実行する処理のフローチャート
【図６】第２実施形態の連写画像の一例を示す図
【図７】第３実施形態のカメラの実行する処理のフローチャート
【図８】第４実施形態のカメラのブロック図
【図９】第４実施形態のカメラの実行する処理のフローチャート
【図１０】第５実施形態のカメラのブロック図
【図１１】第５実施形態のカメラの実行する処理のフローチャート
【符号の説明】
【０１１４】
２０：メインプロセッサ、２９：第１の記録媒体、３２：第２の記録媒体
【図１】
2010213219.tif 000003
【図２】
2010213219.tif 000004
【図３】
2010213219.tif 000005
【図４】
2010213219.tif 000006
【図５】
2010213219.tif 000007
【図６】
2010213219.tif 000008
【図７】
2010213219.tif 000009
【図８】
2010213219.tif 000010
【図９】
2010213219.tif 000011
【図１０】
2010213219.tif 000012
【図１１】
2010213219.tif 000013